【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
画像供給装置を接続可能に構成したインタフェースと、
前記インタフェースを介して前記画像供給装置から転送される複数の画像ファイルを受信する通信手段と、
受信した前記複数の画像ファイルから、複数の画像データと画像データに対応付けられた複数の情報とを抽出する抽出手段と、
前記画像データを配置する複数の領域と前記画像データに対応付けられた情報を配置する複数の領域とを含むデータを蓄積する蓄積手段と、
前記抽出手段によって抽出された前記複数の画像データと前記画像データに対応付けられた複数の情報とを、それぞれ前記画像データを配置する複数の領域と前記画像データに対応付けられた情報を配置する複数の領域に配置した画像を生成する画像生成手段と、
前記画像生成手段により生成された画像を記録用紙に出力する画像出力手段と、
を備えることを特徴とする画像形成装置。
【請求項２】
前記画像ファイルに埋め込まれた情報は、前記画像ファイル内の画像データの撮影条件に関する撮影条件情報である、
ことを特徴とする請求項１記載の画像形成装置。
【請求項３】
前記蓄積手段には、複数の情報データが蓄積されており、前記蓄積手段に蓄積されている複数の情報データから一の情報データを選択する選択手段をさらに備える、
ことを特徴とする請求項１または２記載の画像形成装置。
【請求項４】
前記撮影条件情報は、前記画像供給装置のメーカ名、前記画像供給装置の機種名、前記画像供給装置のソフトウェアのバージョン、露出プログラムモード、測光モード、絞り値、開放絞り値、シャッタ速度、焦点距離、合焦距離、露出補正値、ＩＳＯ感度値、日時、光源判別、ストロボ使用、のいずれかである、
ことを特徴とする請求項１ないし３のいずれか一記載の画像形成装置。
【請求項５】
前記画像ファイルはＥｘｉｆ（Exchangeable Image File Format）ファイル形式である、
ことを特徴とする請求項１ないし４のいずれか一記載の画像形成装置。
【請求項６】
前記画像ファイルに埋め込まれた情報は、テキスト情報である、
ことを特徴とする請求項１ないし４のいずれか一記載の画像形成装置。
【請求項７】
画像供給装置と、画像形成装置とからなる画像印刷システムであって、
前記画像形成装置は、
前記画像供給装置を接続可能に構成したインタフェースと、
前記インタフェースを介して前記画像供給装置から転送される複数の画像ファイルを受信する通信手段と、
受信した前記複数の画像ファイルから、複数の画像データと画像データに対応付けられた複数の情報とを抽出する抽出手段と、
前記画像データを配置する複数の領域と前記画像データに対応付けられた情報を配置する複数の領域とを含むデータを蓄積する蓄積手段と、
前記抽出手段によって抽出された前記複数の画像データと前記画像データに対応付けられた複数の情報とを、それぞれ前記画像データを配置する複数の領域と前記画像データに対応付けられた情報を配置する複数の領域に配置した画像を生成する画像生成手段と、
前記画像生成手段により生成された画像を記録用紙に出力する画像出力手段と、
を備えることを特徴とする画像印刷システム。
【請求項８】
前記画像ファイルに埋め込まれた情報は、前記画像ファイル内の画像データの撮影条件に関する撮影条件情報である、
ことを特徴とする請求項７記載の画像印刷システム。
【請求項９】
前記蓄積手段には、複数の情報データが蓄積されており、前記蓄積手段に蓄積されている複数の情報データから一の情報データを選択する選択手段をさらに備える、
ことを特徴とする請求項７または８記載の画像印刷システム。
【請求項１０】
前記撮影条件情報は、前記画像供給装置のメーカ名、前記画像供給装置の機種名、前記画像供給装置のソフトウェアのバージョン、露出プログラムモード、測光モード、絞り値、開放絞り値、シャッタ速度、焦点距離、合焦距離、露出補正値、ＩＳＯ感度値、日時、光源判別、ストロボ使用、のいずれかである、
ことを特徴とする請求項７ないし９のいずれか一記載の画像印刷システム。
【請求項１１】
前記画像ファイルはＥｘｉｆ（Exchangeable Image File Format）ファイル形式である、
ことを特徴とする請求項７ないし１０のいずれか一記載の画像印刷システム。
【請求項１２】
前記画像ファイルに埋め込まれた情報は、テキスト情報である、
ことを特徴とする請求項７ないし１０のいずれか一記載の画像印刷システム。
【請求項１３】
前記画像供給装置は、デジタルスチルカメラである、
ことを特徴とする請求項７記載の画像印刷システム。
【請求項１４】
画像供給装置を接続可能に構成したインタフェースを備えるコンピュータを、
前記インタフェースを介して前記画像供給装置から転送される複数の画像ファイルを受信する通信手段と、
受信した前記複数の画像ファイルから、複数の画像データと画像データに対応付けられた複数の情報とを抽出する抽出手段と、
前記画像データを配置する複数の領域と前記画像データに対応付けられた情報を配置する複数の領域とを含むデータを蓄積する蓄積手段と、
前記抽出手段によって抽出された前記複数の画像データと前記画像データに対応付けられた複数の情報とを、それぞれ前記画像データを配置する複数の領域と前記画像データに対応付けられた情報を配置する複数の領域に配置した画像を生成する画像生成手段と、
前記画像生成手段により生成された画像を記録用紙に出力する画像出力手段と、
として機能させることを特徴とするプログラム。
【請求項１５】
画像形成装置で実行される画像合成出力方法であって、
前記画像形成装置は、制御部と記憶部と画像供給装置を接続可能に構成したインタフェースとを備え、前記制御部において実行される、
通信手段が、前記インタフェースを介して前記画像供給装置から転送される複数の画像ファイルを受信する工程と、
抽出手段が、受信した前記複数の画像ファイルから、複数の画像データと画像データに対応付けられた複数の情報とを抽出する工程と、
読み出し手段が、前記画像データを配置する複数の領域と前記画像データに対応付けられた情報を配置する複数の領域とを含む蓄積されたデータを読み出す工程と、
画像生成手段が、前記抽出手段によって抽出された前記複数の画像データと前記画像データに対応付けられた複数の情報とを、それぞれ前記画像データを配置する複数の領域と前記画像データに対応付けられた情報を配置する複数の領域に配置した画像を生成する工程と、
画像出力手段が、前記画像生成手段により生成された画像を記録用紙に出力する工程と、
を含むことを特徴とする画像合成出力方法。
【手続補正２】
【補正対象書類名】明細書
【補正対象項目名】００１０
【補正方法】変更
【補正の内容】
【００１０】
上述した課題を解決し、目的を達成するために、請求項１にかかる発明の画像形成装置は、画像供給装置を接続可能に構成したインタフェースと、前記インタフェースを介して前記画像供給装置から転送される複数の画像ファイルを受信する通信手段と、受信した前記複数の画像ファイルから、複数の画像データと画像データに対応付けられた複数の情報とを抽出する抽出手段と、前記画像データを配置する複数の領域と前記画像データに対応付けられた情報を配置する複数の領域とを含むデータを蓄積する蓄積手段と、前記抽出手段によって抽出された前記複数の画像データと前記画像データに対応付けられた複数の情報とを、それぞれ前記画像データを配置する複数の領域と前記画像データに対応付けられた情報を配置する複数の領域に配置した画像を生成する画像生成手段と、前記画像生成手段により生成された画像を記録用紙に出力する画像出力手段と、を備える。
【手続補正３】
【補正対象書類名】明細書
【補正対象項目名】００１１
【補正方法】変更
【補正の内容】
【００１１】
また、請求項２にかかる発明は、請求項１記載の画像形成装置において、前記画像ファイルに埋め込まれた情報は、前記画像ファイル内の画像データの撮影条件に関する撮影条件情報である。
【手続補正４】
【補正対象書類名】明細書
【補正対象項目名】００１２
【補正方法】変更
【補正の内容】
【００１２】
また、請求項３にかかる発明は、請求項１または２記載の画像形成装置において、前記蓄積手段には、複数の情報データが蓄積されており、前記蓄積手段に蓄積されている複数の情報データから一の情報データを選択する選択手段をさらに備える。
【手続補正５】
【補正対象書類名】明細書
【補正対象項目名】００１３
【補正方法】変更
【補正の内容】
【００１３】
また、請求項４にかかる発明は、請求項１ないし３のいずれか一記載の画像形成装置において、前記撮影条件情報は、前記画像供給装置のメーカ名、前記画像供給装置の機種名、前記画像供給装置のソフトウェアのバージョン、露出プログラムモード、測光モード、絞り値、開放絞り値、シャッタ速度、焦点距離、合焦距離、露出補正値、ＩＳＯ感度値、日時、光源判別、ストロボ使用、のいずれかである。
【手続補正６】
【補正対象書類名】明細書
【補正対象項目名】００１４
【補正方法】変更
【補正の内容】
【００１４】
また、請求項５にかかる発明は、請求項１ないし４のいずれか一記載の画像形成装置において、前記画像ファイルはＥｘｉｆ（Exchangeable Image File Format）ファイル形式である。
【手続補正７】
【補正対象書類名】明細書
【補正対象項目名】００１５
【補正方法】変更
【補正の内容】
【００１５】
また、請求項６にかかる発明は、請求項１ないし４のいずれか一記載の画像形成装置において、前記画像ファイルに埋め込まれた情報は、テキスト情報である。
【手続補正８】
【補正対象書類名】明細書
【補正対象項目名】００１６
【補正方法】変更
【補正の内容】
【００１６】
また、請求項７にかかる発明の画像印刷システムは、画像供給装置と、画像形成装置とからなる画像印刷システムであって、前記画像形成装置は、前記画像供給装置を接続可能に構成したインタフェースと、前記インタフェースを介して前記画像供給装置から転送される複数の画像ファイルを受信する通信手段と、受信した前記複数の画像ファイルから、複数の画像データと画像データに対応付けられた複数の情報とを抽出する抽出手段と、前記画像データを配置する複数の領域と前記画像データに対応付けられた情報を配置する複数の領域とを含むデータを蓄積する蓄積手段と、前記抽出手段によって抽出された前記複数の画像データと前記画像データに対応付けられた複数の情報とを、それぞれ前記画像データを配置する複数の領域と前記画像データに対応付けられた情報を配置する複数の領域に配置した画像を生成する画像生成手段と、前記画像生成手段により生成された画像を記録用紙に出力する画像出力手段と、を備える。
【手続補正９】
【補正対象書類名】明細書
【補正対象項目名】００１７
【補正方法】変更
【補正の内容】
【００１７】
また、請求項８にかかる発明は、請求項７記載の画像印刷システムにおいて、前記画像ファイルに埋め込まれた情報は、前記画像ファイル内の画像データの撮影条件に関する撮影条件情報である。
【手続補正１０】
【補正対象書類名】明細書
【補正対象項目名】００１８
【補正方法】変更
【補正の内容】
【００１８】
また、請求項９にかかる発明は、請求項７または８記載の画像印刷システムにおいて、前記蓄積手段には、複数の情報データが蓄積されており、前記蓄積手段に蓄積されている複数の情報データから一の情報データを選択する選択手段をさらに備える。
【手続補正１１】
【補正対象書類名】明細書
【補正対象項目名】００１９
【補正方法】変更
【補正の内容】
【００１９】
また、請求項１０にかかる発明は、請求項７ないし９のいずれか一記載の画像印刷システムにおいて、前記撮影条件情報は、前記画像供給装置のメーカ名、前記画像供給装置の機種名、前記画像供給装置のソフトウェアのバージョン、露出プログラムモード、測光モード、絞り値、開放絞り値、シャッタ速度、焦点距離、合焦距離、露出補正値、ＩＳＯ感度値、日時、光源判別、ストロボ使用、のいずれかである。
【手続補正１２】
【補正対象書類名】明細書
【補正対象項目名】００２０
【補正方法】変更
【補正の内容】
【００２０】
また、請求項１１にかかる発明は、請求項７ないし１０のいずれか一記載の画像印刷システムにおいて、前記画像ファイルはＥｘｉｆ（Exchangeable Image File Format）ファイル形式である。
【手続補正１３】
【補正対象書類名】明細書
【補正対象項目名】００２１
【補正方法】変更
【補正の内容】
【００２１】
また、請求項１２にかかる発明は、請求項７ないし１０のいずれか一記載の画像印刷システムにおいて、前記画像ファイルに埋め込まれた情報は、テキスト情報である。
【手続補正１４】
【補正対象書類名】明細書
【補正対象項目名】００２２
【補正方法】変更
【補正の内容】
【００２２】
また、請求項１３にかかる発明は、請求項７記載の画像印刷システムにおいて、前記画像供給装置は、デジタルスチルカメラである。
【手続補正１５】
【補正対象書類名】明細書
【補正対象項目名】００２３
【補正方法】変更
【補正の内容】
【００２３】
また、請求項１４にかかる発明のプログラムは、画像供給装置を接続可能に構成したインタフェースを備えるコンピュータを、前記インタフェースを介して前記画像供給装置から転送される複数の画像ファイルを受信する通信手段と、受信した前記複数の画像ファイルから、複数の画像データと画像データに対応付けられた複数の情報とを抽出する抽出手段と、前記画像データを配置する複数の領域と前記画像データに対応付けられた情報を配置する複数の領域とを含むデータを蓄積する蓄積手段と、前記抽出手段によって抽出された前記複数の画像データと前記画像データに対応付けられた複数の情報とを、それぞれ前記画像データを配置する複数の領域と前記画像データに対応付けられた情報を配置する複数の領域に配置した画像を生成する画像生成手段と、前記画像生成手段により生成された画像を記録用紙に出力する画像出力手段と、として機能させる。
【手続補正１６】
【補正対象書類名】明細書
【補正対象項目名】００２４
【補正方法】変更
【補正の内容】
【００２４】
また、請求項１５にかかる発明の画像合成出力方法は、画像形成装置で実行される画像合成出力方法であって、前記画像形成装置は、制御部と記憶部と画像供給装置を接続可能に構成したインタフェースとを備え、前記制御部において実行される、通信手段が、前記インタフェースを介して前記画像供給装置から転送される複数の画像ファイルを受信する工程と、抽出手段が、受信した前記複数の画像ファイルから、複数の画像データと画像データに対応付けられた複数の情報とを抽出する工程と、読み出し手段が、前記画像データを配置する複数の領域と前記画像データに対応付けられた情報を配置する複数の領域とを含む蓄積されたデータを読み出す工程と、画像生成手段が、前記抽出手段によって抽出された前記複数の画像データと前記画像データに対応付けられた複数の情報とを、それぞれ前記画像データを配置する複数の領域と前記画像データに対応付けられた情報を配置する複数の領域に配置した画像を生成する工程と、画像出力手段が、前記画像生成手段により生成された画像を記録用紙に出力する工程と、を含む。
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】変更
【補正の内容】
【００３１】
本発明によれば、画像供給装置と画像形成装置との接続によるダイレクトプリント時において、ユーザはより手軽にかつ簡便なシステムにて画像ファイルに埋め込まれた情報の文字印字が行えるので、利便性の高い出力機能を持った画像形成装置を提供できるという効果を奏する。
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】